(57)【特許請求の範囲】
【請求項１】
車両のコンソール部分のスペースに取付けられる車載用電子機器において、第１の板状部材および第２の板状部材がその端部で折り畳み可能となるように回動自在に連結され、折り畳んだ状態で、対向する両面に表示部および操作キーが配置されており、これら両面の面積の和は車載用電子機器の前面の面積より大きく形成された操作パネルを備えたことを特徴とする車載用電子機器。
【請求項２】
前記第１の板状部材は車載用電子機器の前部を閉じる位置と開く位置との間で駆動され、使用状態では前記第１の板状部材が車載用電子機器の前部を開いた位置に駆動され、さらに前記第２の板状部材が第１の板状部材から開いた位置とされる請求項１の車載用電子機器。
【請求項３】
前記第１の板状部材はパネル支持シャーシに着脱自在とされ前記パネル支持シャーシにより車載用電子機器の前部を閉じる位置と開く位置との間で駆動される請求項２の車載用電子機器。
【請求項４】
前記パネル支持シャーシは４節回転連鎖のリンク機構により駆動される請求項３の車載用電子機器。
【請求項５】
前記第１の板状部材に操作キーが配置され、前記第２の板状部材に表示部が配置される請求項１から４のいずれかに記載された車載用電子機器。
【発明の詳細な説明】
【０００１】
【発明の属する技術分野】
この発明は車載用電子機器に係わり、特に、その操作パネルに関する。
【０００２】
【従来の技術】
従来の車載用電子機器の例を図１０および図１１に示す。図１０および図１１に示す操作パネル２０は車載用電子機器本体１に着脱機構１ｂ、１ｂを介して着脱される。図１０は操作パネル２０を車載用電子機器本体１に装着した状態を示し、図１１は操作パネル２０を車載用電子機器本体１から取り外した状態を示している。不使用時に盗難防止のために操作パネル２０を車載用電子機器本体１から取り外しておくことが可能である。
【０００３】
操作パネル２０を車載用電子機器本体１に装着すると、コネクター１ｃを介して操作パネル２０が車載用電子機器本体１に電気的に接続された状態となり、操作パネル２０の操作キー２０ｂにより操作可能となる。さらに、操作パネル２０の表示部２０ａに操作ガイド等が表示される。ＣＤ等の記録媒体は操作パネル２０の記録媒体挿入口２０ｃおよび車載用電子機器本体１の記録媒体挿入口１ａを通して出入される。
【０００４】
図１２〜図１４に従来の車載用電子機器の他の例を示す。この例では操作パネル２１は図１４に示すパネル支持シャーシ２２にフック２２ａ、２２ａを介して取り付けられる。操作パネル２１を車載用電子機器本体１に装着すると、コネクター２３を介して操作パネル２１が車載用電子機器本体１に電気的に接続された状態となり、操作パネル２１の操作キー２１ｂにより操作可能となる。さらに、操作パネル２１の表示部２１ａに操作ガイド等が表示される。
【０００５】
パネル支持シャーシ２２は駆動機構により車載用電子機器本体１に対して相対移動するように駆動され、操作パネル２１を図１２に示す車載用電子機器本体１の前面を覆う位置と、図１３に示す車載用電子機器本体１の前面を開く位置との間で駆動する。ＣＤ８等の記録媒体は操作パネル２１を図１３に示す位置に移動させて車載用電子機器本体１の記録媒体挿入口１ａを通して出入される。
【０００６】
上記した従来の車載用電子機器では車両から離れるとき、盗難防止のために、操作パネル２１を本体より取り外した後、表示部等外部に露出している部分に傷を付けることのないように図１５に示すようなパネルケース２４に入れて持ち運んでいた。
【０００７】
【発明が解決しようとする課題】
車載用電子機器を車両のコンソール部分のスペースに取り付ける場合は操作パネルの寸法は車両側のクラスターパネルの開口部の寸法等に制限される。上記した図１０および図１１に示した従来の車載用電子機器では、操作パネルに表示部や操作キーおよび記録媒体挿入口を配置するために表示部や操作キーのサイズを大きくすることができなかった。
【０００８】
図１２および図１３に示した従来の車載用電子機器では、記録媒体挿入口が操作パネルに配置されない分、表示部や操作キーを大きくできるが、それでも車載用電子機器が多機能となった現在では十分な大きさといえず、操作性は十分に向上していなかった。
【０００９】
また、上記従来の車載用電子機器では盗難防止のために取り外した操作パネルを持ち運ぶ際に表示部や操作部が外部に露出しているために傷が付く可能性があり、車載用電子機器にパネルケースを付属させる必要があり、コストアップの要因となっていた。
【００１０】
この発明は上記した点に鑑みてなされたものであって、その目的とするところは、表示部や操作部を十分に大きくすることができ、また、操作パネルを持ち運ぶ際にパネルケースに入れなくても表示部や操作部が傷つくことのない車載用電子機器を提供することにある。
【００１１】
【課題を解決するための手段】
この発明の車載用電子機器は、車両のコンソール部分のスペースに取付けられる車載用電子機器において、第１の板状部材および第２の板状部材がその端部で折り畳み可能となるように回動自在に連結され、折り畳んだ状態で、対向する両面に表示部および操作キーが配置されており、これら両面の面積の和は車載用電子機器の前面の面積より大きく形成された操作パネルを備えたものである。
【００１２】
また、前記車載用電子機器において、前記第１の板状部材は車載用電子機器の前部を閉じる位置と開く位置との間で駆動され、使用状態では前記第１の板状部材が車載用電子機器の前部を開いた位置に駆動され、さらに前記第２の板状部材が第１の板状部材から開いた位置とされるものである。
【００１３】
また、前記車載用電子機器において、前記第１の板状部材はパネル支持シャーシに着脱自在とされ前記パネル支持シャーシにより車載用電子機器の前部を閉じる位置と開く位置との間で駆動されるものである。
【００１４】
また、前記車載用電子機器において、前記パネル支持シャーシは４節回転連鎖のリンク機構により駆動されるものである。
【００１５】
また、前記各車載用電子機器において、前記第１の板状部材に操作キーが配置され、前記第２の板状部材に表示部が配置されるものである。
【００１６】
【発明の実施の形態】
この発明の実施例である車載用電子機器を図面に基づいて説明する。図１〜図９はこの発明の実施例である車載用電子機器を示す。図１〜図４に示す操作パネル２は第１の板状部材３と第２の板状部材４とが軸３ａにより回動自在に連結されており、第１の板状部材３は図５および図６に示すパネル支持シャーシ９に着脱される。
【００１７】
すなわち、図６に示すようにパネル支持シャーシ９の両端（図では一方のみ示している）にはフック９ａが設けられており、第１の板状部材３を押し込むことによりフック９ａは図示のＡ方向に一端変形した後、元に戻り第１の板状部材３の凹み３ｃに嵌まり込み第１の板状部材３がパネル支持シャーシ９に保持される。この状態でパネル支持シャーシ９に設けられたコネクター１０により操作パネル２は車載用音響機器本体１に電気的に接続される。第１の板状部材３を引張るとフック９ａは弾性変形して第１の板状部材３をパネル支持シャーシ９から外した操作パネル２を取り外すことができる。
【００１８】
パネル支持シャーシ９は後述するように駆動機構により駆動される。そして、第１の板状部材３に対して第２の板状部材４が閉じられた状態で操作パネル２を図１に示す車載用音響機器本体１の前面を閉じる位置と、図２に示す車載用音響機器本体１の前面を開く位置との間で駆動される。すなわち、図１に示す状態において、第２の板状部材４を押すと、操作パネル２の表面が僅かに撓み第２の板状部材の内部に設けられたパネルオープン・クローズスイッチ５が作動して、操作パネル２は図２の矢印Ａ方向に移動して車載用音響機器本体１の前面を開く位置にくる。図２に示す状態において、第２の板状部材４を押すと、第２の板状部材の内部に設けられたパネルオープン・クローズスイッチ５が作動して、操作パネル２は図２の矢印Ａ方向と反対方向に移動して車載用音響機器本体１の前面を閉じる図１に示す位置にくる。
【００１９】
図２および図４に示す状態で車載用音響機器本体１に設けられた記録媒体挿入口１ａよりＣＤ８を挿入することができる。また、車載用音響機器本体１にＣＤ８が挿入されている場合はイジェクトスイッチ７を押すことによりＣＤ８を記録媒体挿入口１ａより排出することができる。
【００２０】
図８および図９によりパネル支持シャーシ９の駆動機構を説明する。図８および図９において第１のパネル支持アーム１２は軸１１により車載用音響機器本体１に回動自在に支持されており、第２のパネル支持アーム１３は軸１４により車載用音響機器本体１に回動自在に支持されている。また。第１のパネル支持アーム１２は連結ピン１２ａによりパネル支持シャーシ９に回動自在に連結され、第２のパネル支持アーム１３は連結ピン１３ａによりパネル支持シャーシ９に回動自在に連結されている。
【００２１】
このように車載用音響機器本体１、第１のパネル支持アーム１２、第２のパネル支持アーム１３およびパネル支持シャーシ９により４節回転連鎖のリンク機構が形成されている。なお、図８および図９の左側のリンク機構について説明したが右側にも同一形状のリンク機構が設けられており、パネル支持シャーシ９は平行状態を保ながらその位置を換える。
【００２２】
車載用音響機器本体１に固定されたモータ１５の回転軸に固着されたウォームギヤ１５ａは車載用音響機器本体１に回転自在に支持されたはすばギヤ１６と噛み合い、はすばギヤ１６の回転は車載用音響機器本体１に回転自在に支持された平歯車１７、１７…および平歯車１８に伝えられる。平歯車１８は第１のパネル支持アーム１２の部分ギヤ１２ｂと噛み合っており、モータ１５により第１のパネル支持アーム１２が回動される。
【００２３】
第１のパネル支持アーム１２が回動されることにより、パネル支持シャーシ９は図８の車載用音響機器本体１の前面を覆う位置から図９に示す車載用音響機器本体１の前面を開く位置との間で回動される。なお、図８に示す状態でのパネル支持シャーシ９の外面は図９に示す状態でのパネル支持シャーシ９の上面となっている。
【００２４】
上記構成において、図１に示す不使用状態では操作パネル２の操作キーが外に現れないため、車の外から車載用機器が認識しにくく、このままでも一応盗難防止効果が得られる。この状態から前述したようにパネルオープン・クローズスイッチを押すと、操作パネル２は図２に示す位置に移動して一定時間停止する。
【００２５】
この状態で使用者が第２の板状部材４の先端を手で持って図３の矢印Ｂに示す方向に起こすと、第１の板状部材３に設けられたメインスイッチ６が第２の板状部材３に設けられた突起３ｄで押された状態から解除されて、表示部４ａや操作キーが作動状態となる。
【００２６】
このように第２の板状部材４が開いた状態で表示部４ａと操作キー３ｂの配置される操作部とは操作パネルが閉じられた状態での面積の２倍となる。また、記録媒体挿入口が操作パネルに設けられないので、表示部や操作部を従来のものに比べて格段に広くすることが可能となる。
【００２７】
前述したように図４に示す状態でイジェクトスイッチ７を押すと記録媒体が排出されるが、記録媒体が抜き取られない状態では操作パネルのクローズは行われず、記録媒体が抜き取られたことを図示していないセンサーが検出すると、一定時間後に操作パネルは図１に示す位置にクローズされる。
【００２８】
記録媒体を挿入する場合は、図１に示す状態でパネルオープン・クローズスイッチ５を押して図２に示す位置まで操作パネルをオープンしてから記録媒体を挿入するが、車載用電子機器本体１内に記録媒体がなく、そして、一定時間記録媒体が挿入されることがなく、また、第２の板状部材４が開かれないときは、操作パネルは図１に示す位置にクローズされる。このとき操作パネルがクローズして、指等が挟まれるのを防止するために、クローズするタイミングに近付くとブサーで合図する。
【００２９】
前述したように操作パネル２がパネル支持シャーシから取り外されると、パネル支持シャーシは一定時間後に電子機器本体１の前面を閉じる図８に示す位置に戻される。取り外された操作パネルは図７に示すように操作部と表示部が内側となるように第１の板状部材３と第２の板状部材が閉じられた状態とされるので、パネルケースを使用しなくても持ち運ぶときに操作部や表示部に傷がつくことはない。
【００３０】
【発明の効果】
この発明の車載用電子機器によれば、操作パネルの操作部や表示部の面積を拡大できるため操作性が向上する。
【００３１】
さらに、盗難防止のために取り外した操作パネルは操作部や表示部が外側に露出しないため傷がつかず、商品にパネルケースを付属させる必要がなくコストダウンが達成される。
【図面の簡単な説明】
【図１】この発明の実施例である車載用電子機器を示す斜視図である。
【図２】同車載用電子機器の他の状態を示す斜視図である。
【図３】同車載用電子機器のさらに他の状態を示す斜視図である。
【図４】同車載用電子機器のさらに他の状態を示す斜視図である。
【図５】同車載用電子機器のさらに他の状態を示す斜視図である。
【図６】同車載用電子機器の部分を示す斜視図である。
【図７】同車載用電子機器の操作パネルを示す斜視図である。
【図８】同車載用電子機器の一部部材を除きさらに他の部材の一部を透視して示す斜視図である。
【図９】同車載用電子機器他の状態において一部部材を除きさらに他の部材の一部を透視して示す斜視図である。
【図１０】従来の車載用電子機器の例を示す斜視図である。
【図１１】同車載用電子機器の他の状態を示す斜視図である。
【図１２】従来の車載用電子機器の他の例を示す斜視図である。
【図１３】同車載用電子機器の他の状態を示す斜視図である。
【図１４】同車載用電子機器のさらにの他の状態を示す斜視図である。
【図１５】同車載用電子機器の操作パネルを示す斜視図である。
【符号の説明】
１  車載用電子機器本体、１ａ  記録媒体挿入口、１ｂ  着脱機構、１ｃ  コネクター
２  操作パネル
３  第１の板状部材、３ａ  軸、３ｂ  操作キー、３ｃ  凹み、３ｄ  突起
４  第２の板状部材、４ａ  表示部
５  パネルオープン・クローズスイッチ
６  メインスイッチ
７  イジェクトスイッチ
８  ＣＤ
９  パネル支持シャーシ、９ａ  フック
１０  コネクター
１１  軸
１２  第１のパネル支持アーム、１２ａ  連結ピン、１２ｂ部分ギヤ
１３  第２のパネル支持アーム、１３ａ  連結ピン
１４  軸
１５  モータ、１５ａ  ウォームギヤ
１６  はすばギヤ
１７、１８  平歯車
２０  操作パネル、２０ａ  表示部、２０ｂ  操作キー、２０ｃ  記録媒体挿入口
２１  操作パネル、２１ａ  表示部、２１ｂ  操作キー
２２  パネル支持シャーシ、２２ａ  フック
２３  コネクター
２４  パネルケース
【図１】
0003898919.tif 000002
【図２】
0003898919.tif 000003
【図３】
0003898919.tif 000004
【図４】
0003898919.tif 000005
【図５】
0003898919.tif 000006
【図６】
0003898919.tif 000007
【図７】
0003898919.tif 000008
【図８】
0003898919.tif 000009
【図９】
0003898919.tif 000010
【図１０】
0003898919.tif 000011
【図１１】
0003898919.tif 000012
【図１２】
0003898919.tif 000013
【図１３】
0003898919.tif 000014
【図１４】
0003898919.tif 000015
【図１５】
0003898919.tif 000016